(57)【要約】【課題】ライナープレート構造体の周壁の２箇所の間に足場板を着脱可能に固定することができるライナープレート構造体設置用足場板固定装置を提供する。【解決手段】ライナープレート構造体８を構成するライナープレート８ａのフランジ１０に取り付けられる構成部材２と、足場板７の一方の板面に対して鉛直方向に当接する構成部材３と、足場板９の他方の板面に対して鉛直方向に当接する構成部材５とから構成されるもので、構成部材２は固定部１２にてフランジ１０に固定されると共に可動部１４が移動可能に装着された位置調整部位１３ｃを有する棒状部１３を有し、構成部材３は、足場板９に当接可能な当接部位２５を有して当接部位２５が可動部１４に対し当該可動部１４と遠近可能に取り付けられ、構成部材５は、構成部材２に対し遠近可能に取り付けられることにより、構成部材３の当接部位２５と構成部材５とで足場板９の長手方向の両側端を上下から挟持してライナープレート構造体８に足場板９を固定する。【選択図】図３
2011168969.tif 000002
【特許請求の範囲】
【請求項１】
周縁にフランジが形成されたライナープレートを組み付けることで構成されて上端が開口するライナープレート構造体に取り付けられ、前記ライナープレート構造体の周壁の２箇所の間に架設される長尺体状の足場板を前記ライナープレート構造体に固定するためのライナープレート構造体設置用足場板固定装置であって、
前記ライナープレートに取り付けられる第１の構成部材と、前記足場板の一方の板面に対して鉛直方向に当接するもので対を成す第２の構成部材とを少なくとも有して構成され、
前記第１の構成部材は、前記ライナープレートのフランジに固定させる２つの固定部と、これらの固定部同士を連結するもので前記足場板の長手方向に対して交差する方向に延びる位置調整用部位を有する棒状部と、この棒状部の位置調整部位に装着されてこの位置調整部位の軸方向に沿って移動可能な２つの可動部とを備えると共に、
前記第２の構成部材は、前記足場板の一方の板面に当接する当接部位を備え、前記第１の構成部材の可動部に対し前記当接部位が当該可動部に遠近する方向に可動可能に取り付けられていることを特徴とするライナープレート構造体設置用足場板固定装置。
【請求項２】
前記足場板の前記第２の構成部材が当接する一方の板面とは反対側となる他方の板面に対して鉛直方向に当接する第３の構成部材を更に有し、
前記第３の構成部材は、前記第２の構成部材に対し当該第２の構成部材の当接部位に遠近する方向に可動可能に取り付けられていることを特徴とする請求項１に記載のライナープレート構造体設置用足場板固定装置。
【請求項３】
前記足場板を前記ライナープレート構造体の上端側に架設するにあたって、
前記ライナープレート構造体を構成する前記ライナープレートのうち上端側に位置するライナープレートの前記フランジに前記第１の構成部材の固定部を固定し、
前記第１の構成部材の可動部を可動して前記可動部の位置及び相互の間隔を調整すると共に前記第２の構成部材の当接部位を可動して前記可動部と前記当接部位との間隔を調整して、前記当接部位の上側面を前記足場板の下側となる一方の板面と所望の位置にて当接させ、
前記第３の構成部材を可動して前記第２の構成部材の当接部位との間隔を調整して、前記第３の構成部材の下側面を前記足場板の上側となる他方の板面と所望の位置にて当接させて、
前記足場板の長手方向の両側端を前記当接部位と前記第３の構成部材とで上下から挟持することにより、前記足場板を前記ライナープレート構造体に固定することを特徴とする請求項２に記載のライナープレート構造体設置用足場板固定装置。
【請求項４】
前記足場板を前記ライナープレート構造体の周壁内の中間部分に架設するにあたって、
前記ライナープレート構造体を構成する前記ライナープレートのうち中間部分に位置するライナープレートの前記フランジに前記第１の構成部材の固定部を固定し、
前記第１の構成部材の可動部を可動して前記可動部の位置及び相互の間隔を調整すると共に前記第２の構成部材の当接部位を可動して前記可動部と前記当接部位との間隔を調整して、前記当接部位の下側面を前記足場板の上側となる一方の板面と所望の位置にて当接させ、
前記第１の構成部材の棒状部の位置調整部位を前記足場板の下側となる他方の板面と所望の位置にて当接させ、或いは、
前記第３の構成部材を可動して前記第２の構成部材の当接部位との間隔を調整して、前記第３の構成部材の上側面を前記足場板の下側となる他方の板面と所望の位置にて当接させて、
前記足場板の長手方向の両側端を前記当接部位と前記棒状部の位置調整部位又は前記第３の構成部材とで上下から挟持することにより、前記足場板を前記ライナープレート構造体に固定することを特徴とする請求項２に記載のライナープレート構造体設置用足場板固定装置。
【発明の詳細な説明】
【技術分野】
【０００１】
この発明は、複数のライナープレートを組み付けて構成されるライナープレート構造体に対しその上端側又は中間部分においてその周壁の２箇所の間に架設されるかたちで設置される足場板をライナープレート構造体に固定するために有用な足場板固定装置に関する。
【背景技術】
【０００２】
複数のライナープレートを組み付けて構成されるライナープレート構造体の上端側における作業者の作業用足場を確保するために、ライナープレート構造体の上端側において、ライナープレート構造体の周壁の２箇所の間に直方体状の足場板（以下、上方足場板と称する。）を設置することは、例えば特許文献１の図８に示されるように既に公知となっている。また、ライナープレート構造体の周壁内の中間部分において、ライナープレート構造体の周壁の２箇所の間に直方体状の足場板（以下、中間足場板と称する。）を設置することも、例えば特許文献１の図６に示されるように既に公知となっている。
【０００３】
その一方で、ライナープレート構造体との固定構造としては、例えば特許文献２に示されるように、ライナープレート構造体の周壁内に昇降用タラップを設置するためのものであって、タラップが１の水平部とこの水平部の長手方向の両側に位置する２の垂直部とから構成される略コ字状のものである場合に、双方の垂直部に固着されるＬ字状の取付固定板と、この取付固定板の水平板部分に開口した通孔とライナープレートの通孔とをボルトで連通させることにより、取付固定板とライナープレートひいてはライナープレート構造体とを固定する構造が既に公知となっている。
【０００４】
また、例えば特許文献３に示されるように、ライナープレート構造体内に足場を当該ライナープレート構造体の周壁に沿って延びるように設置するためのものであって、足場から延びたアームに取付部材をライナープレート構造体の開口の軸方向に沿って揺動可能に装着し、この取付部材に開口した通孔とライナープレートの通孔とをボルトが挿通して固定されることにより、足場とライナープレートひいてはライナープレート構造体とを固定する構造も既に公知となっている。
【先行技術文献】
【特許文献】
【０００５】
【特許文献１】特開２００９−１１４６４９号公報
【特許文献２】実公平１−２８１６０号公報
【特許文献３】特公平７−１１１０９２号公報
【発明の概要】
【発明が解決しようとする課題】
【０００６】
しかしながら、特許文献２に示されるライナープレート構造体との固定構造は、上述したように、ライナープレート構造体の周壁内を昇降するためのタラップに対するものである。しかも、特許文献２に示されるライナープレート構造体との固定構造を上方足場板や中間足場板をライナープレート構造体に固定するための構造としてそのまま転用しようとすると、上方足場板や中間足場板をライナープレートにボルト等を介して連結するので、これらの足場板が不要な場合における取り外しが煩雑となる。このため、特許文献２に示されるライナープレート構造体との固定構造を上方足場板や中間足場板とライナープレート構造体との固定構造としてそのまま用いることは困難である。
【０００７】
また、特許文献３に示されるライナープレート構造体との固定構造は、足場板に対するものであっても、この足場板は、その長手方向がライナープレート構造体の周壁の内周方向に沿って且つ当該周壁に接するかたちで延びるように設置されるものであり、前記した周壁の２箇所以外は相対的に周壁から離れた位置となるように設置される前記上方足場板や前記中間足場板とは設置態様が異なっている。そして、この特許文献３に示される足場は、足場板とこの足場板から延びるアームとがボルトを介してライナープレートに連結されており、これに伴い、作業や昇降等の障害とならないようにライナープレート構造体の開口の軸方向の上方に向けて揺動可能となっているが、上記した設置態様の上方足場板や中間足場板では、ライナープレート構造体の周壁の２箇所の間に設置されているので、不使用時に上方に揺動させることが困難であり、更には上方に足場板を揺動させても作業員の昇降等の障害となる。
【０００８】
そして、特許文献１の図６で示される従来例では、中間足場板をライナープレート構造体の周壁内に設置するために、上下に並んだ環状のフープ筋、ライナープレート内に立設されてフープ筋と連結される竪鉄筋とから成る鉄筋篭、及び、このフープ筋上に載置されたパイプを必要とするので、足場板を設置するための構成部材数の増加や鉄筋篭の組立作業の煩雑化が懸念される。しかも、特許文献１では、パイプ上に中間足場板を載せる場合に、この中間足場板をパイプに固定するための具体的な構造について明示されていない。
【０００９】
そこで、本発明は、ライナープレート構造体の上端側や周壁内の中間部分に足場板を設置する場合に、ライナープレート構造体の周壁の２箇所の間に足場板を着脱可能に固定することができるライナープレート構造体設置用足場板固定装置を提供することを目的とする。
【課題を解決するための手段】
【００１０】
この発明に係るライナープレート構造体設置用足場板固定装置は、周縁にフランジが形成されたライナープレートを組み付けることで構成されて上端が開口するライナープレート構造体に取り付けられ、前記ライナープレート構造体の周壁の２箇所の間に架設される長尺体状の足場板を前記ライナープレート構造体に固定するためのライナープレート構造体設置用足場板固定装置であって、前記ライナープレートに取り付けられる第１の構成部材と、前記足場板の一方の板面に対して鉛直方向に当接するもので対を成す第２の構成部材とを少なくとも有して構成され、前記第１の構成部材は、前記ライナープレートのフランジに固定させる２つの固定部と、これらの固定部同士を連結するもので前記足場板の長手方向に対して交差する方向に延びる位置調整用部位を有する棒状部と、この棒状部の位置調整部位に装着されてこの位置調整部位の軸方向に沿って移動可能な２つの可動部とを備えると共に、前記第２の構成部材は、前記足場板の一方の板面に当接する当接部位を備え、前記第１の構成部材の可動部に対し前記当接部位が当該可動部に遠近する方向に可動可能に取り付けられていることを特徴としている（請求項１）。ここで、ライナープレート構造体の平面視の全体形状は、真円の円形状の外、楕円形状、小判形状、正方形状その他の矩形状のものも該当する。
【００１１】
足場板をライナープレート構造体の上端側に架設する場合には、ライナープレート構造体設置用足場板固定装置は、ライナープレート構造体を構成するライナープレートのうち上端側に位置するライナープレートのフランジに第１の構成部材の固定部が固定されることで取り付けられると共に、第２の構成部材の複数の当接部位の上側面を足場板の板面のうち下側面と当接させることにより、少なくとも足場板の長手方向の両側端をそれぞれ複数の当接部位にて下方から支持した状態となる。
【００１２】
また、足場板をライナープレート構造体の周壁内の中間部分に設置する場合には、ライナープレート構造体設置用足場板固定装置は、ライナープレート構造体を構成するライナープレートのうちの中間部分に位置するライナープレートのフランジに第１の構成部材の固定部を固定されることで取り付けられると共に、第１の構成部材の棒状部の位置調整部位の上側面を足場板の板面のうち下側面と当接させ、第２の構成部材の複数の当接部位の下側面を足場板の板面のうち上側面と当接させることにより、足場板の長手方向の両側端を第１の構成部材の棒状部の位置調整部位と第２の構成部材の複数の当接部位とで挟持した状態となる。
【００１３】
更に、棒状部の位置調整部位の軸方向に沿って可動部の双方又は一方が双方を遠近させる方向に移動することにより、可動部に取り付けられた第２の構成部材の当接部位も棒状部の位置調整部位の軸方向に沿って従動するので、ライナープレート構造体設置用足場板固定装置設置後の可動部を動かす操作により一方の第２の構成部材の当接部位と他方の第２の構成部材の当接部位との間隔を足場板の短手方向の幅に合わせて調整することができる。そして、当接部位を有する第２の構成部材も第１の構成部材の可動部に対して当接部位が遠近する方向に移動するので、ライナープレート構造体にライナープレート構造体設置用足場板固定装置の設置後でも第２の構成部材を動かす操作により当接部位が足場板の下側面と当接する位置となるように調整することができる。
【００１４】
更にまた、足場板は、ライナープレート構造体やライナープレート構造体設置用足場板固定装置に螺子やボルト等を介して連結されていないので、足場板を不要とする場合には足場板をライナープレート構造体設置用足場板固定装置から容易に取り外すことが可能である。しかも、足場板を取り外した状態のライナープレート構造体設置用足場板固定装置は、棒状部の位置調整部位をライナープレート内の昇降用タラップの把持手や足置き場として利用することができる。
【００１５】
そして、この発明に係るライナープレート構造体設置用足場板固定装置は、前記足場板の前記第２の構成部材が当接する一方の板面とは反対側となる他方の板面に対して鉛直方向に当接する第３の構成部材を更に有し、前記第３の構成部材は、前記第２の構成部材に対し当該第２の構成部材の当接部位に遠近する方向に可動可能に取り付けられていることを特徴としている（請求項２）。
【００１６】
これにより、少なくとも足場板をライナープレート構造体の上端側に架設する場合には、ライナープレート構造体設置用足場板固定装置は、第２の構成部材の複数の当接部位の上側面を足場板の板面のうち下側面と当接させると共に、第３の構成部材の下側面を足場板の板面のうち上側面と当接させることとにより、足場板の長手方向の両側端を複数の第３の構成部材の下側面と複数の第２の構成部材の当接部位の上側面とで挟持した状態となる。
【００１７】
また、足場板をライナープレート構造体の周壁内の中間部位に架設する場合には、ライナープレート構造体設置用足場板固定装置は、第２の構成部材の複数の当接部位の下側面を足場板の板面のうち上側面と当接させると共に、第１の構成部材の棒状部の位置調整部位の上側面を足場板の板面のうち下側面と当接させる代わりに、第３の構成部材の上側面を足場板の板面のうち下側面と当接させることにより、足場板の長手方向の両側端を複数の第３の構成部材の上側面と複数の第２の構成部材の当接部位の下側面とで挟持した状態となる。
【００１８】
しかも、第３の構成部材は第２の構成部材に対して当接部位に遠近する方向に移動するので、ライナープレート構造体にライナープレート構造体設置用足場板固定装置の設置後でも第３の構成部材を動かす操作により第３の構成部材と第２の構成部材の当接部位との間隔を足場板の厚みに合わせて調整することができる。
【００１９】
上記の構成を総括的に示すと、この発明に係るライナープレート構造体設置用足場板固定装置は、前記足場板を前記ライナープレート構造体の上端側に架設するにあたって、前記ライナープレート構造体を構成する前記ライナープレートのうち上端側に位置するライナープレートの前記フランジに前記第１の構成部材の固定部を固定し、前記第１の構成部材の可動部を可動して前記可動部の位置及び相互の間隔を調整すると共に前記第２の構成部材の当接部位を可動して前記可動部と前記当接部位との間隔を調整して、前記当接部位の上側面を前記足場板の下側となる一方の板面と所望の位置にて当接させ、前記第３の構成部材を可動して前記第２の構成部材の当接部位との間隔を調整して、前記第３の構成部材の下側面を前記足場板の上側となる他方の板面と所望の位置にて当接させて、前記足場板の長手方向の両側端を前記当接部位と前記第３の構成部材とで上下から挟持することにより、前記足場板を前記ライナープレート構造体に固定することを特徴としたものとなる（請求項３）。
【００２０】
また、この発明に係るライナープレート構造体設置用足場板固定装置は、前記足場板を前記ライナープレート構造体の周壁内の中間部分に架設するにあたって、前記ライナープレート構造体を構成する前記ライナープレートのうち中間部分に位置するライナープレートの前記フランジに前記第１の構成部材の固定部を固定し、前記第１の構成部材の可動部を可動して前記可動部の位置及び相互の間隔を調整すると共に前記第２の構成部材の当接部位を可動して前記可動部と前記当接部位との間隔を調整して、前記当接部位の下側面を前記足場板の上側となる一方の板面と所望の位置にて当接させ、前記第１の構成部材の棒状部の位置調整部位を前記足場板の下側となる他方の板面と所望の位置にて当接させ、或いは、前記第３の構成部材を可動して前記第２の構成部材の当接部位との間隔を調整して、前記第３の構成部材の上側面を前記足場板の下側となる他方の板面と所望の位置にて当接させて、前記足場板の長手方向の両側端を前記当接部位と前記棒状部の位置調整部位又は前記第３の構成部材とで上下から挟持することにより、前記足場板を前記ライナープレート構造体に固定することを特徴としたものとなる（請求項４）。
【発明の効果】
【００２１】
以上のように、この発明に係るライナープレート構造体設置用足場板固定装置は、足場板をライナープレート構造体の上端側に架設する場合には、ライナープレート構造体を構成するライナープレートのうち上端側に位置するライナープレートのフランジに第１の構成部材の固定部が固定されることで取り付けられると共に、第２の構成部材の複数の当接部位の上側面を足場板の板面のうち下側面と当接させることにより、少なくとも足場板の長手方向の両側端をそれぞれ複数の当接部位にて下方から支持した状態となるので、足場板がライナープレート構造体設置用足場板固定装置を介してライナープレート構造体に固定されて足場板の落下を防止することが可能となる。
【００２２】
また、この発明に係るライナープレート構造体設置用足場板固定装置は、足場板をライナープレート構造体の周壁内の中間部分に設置する場合には、ライナープレート構造体設置用足場板固定装置は、ライナープレート構造体を構成するライナープレートのうちの中間部分に位置するライナープレートのフランジに第１の構成部材の固定部を固定されることで取り付けられると共に、第１の構成部材の棒状部の位置調整部位の上側面を足場板の板面のうち下側面と当接させ、第２の構成部材の複数の当接部位の下側面を足場板の板面のうち上側面と当接させることにより、足場板の長手方向の両側端を第１の構成部材の棒状部の位置調整部位と第２の構成部材の複数の当接部位とで挟持した状態となるので、足場板の長手方向の両端がライナープレート構造体設置用足場板固定装置を介してライナープレート構造体に固定されて足場板の落下を防止することが可能となる。
【００２３】
更に、この発明に係るライナープレート構造体設置用足場板固定装置は、可動部が棒状部の位置調整部位の軸方向に沿って双方又は一方を両者が遠近する方向に移動可能となっていることから、可動部に取り付けられた第２の構成部材の当接部位も棒状部の位置調整部位の軸方向に沿って従動可能である。このため、ライナープレート構造体設置用足場板固定装置をライナープレート構造体に設置した後でも、可動部を動かすことにより一方の第２の構成部材の当接部位と他方の第２の構成部材の当接部位との間隔を足場板の短手方向の幅に合わせて調整することができるので、足場板の下側に双方の当接部位が配置されるようにする調整や、足場板の下側面に第２の構成部材の当接部位が当接するようにするための調整を簡易且つ円滑に行うことが可能である。
【００２４】
更にまた、この発明に係るライナープレート構造体設置用足場板固定装置では、足場板は、ライナープレート構造体やライナープレート構造体設置用足場板固定装置に螺子やボルト等を介して連結されていないので、足場板を不要とする場合には足場板をライナープレート構造体設置用足場板固定装置から容易に取り外すことが可能であるため、この装置により足場板が常に存置される状況とはならず、作業や昇降が足場板により不便となることを防止することができる。しかも、この発明に係るライナープレート構造体設置用足場板固定装置では、足場板を取り外したときには、棒状部の位置調整部位を昇降用の把持手や足置き場として利用することができるので、足場板の有無にかかわらず有効利用することが可能である。
【００２５】
特に請求項２及び請求項３に記載の発明に係るライナープレート構造体設置用足場板固定装置は、足場板をライナープレート構造体の上端側に架設する場合には、ライナープレート構造体設置用足場板固定装置は、第２の構成部材の複数の当接部位の上側面を足場板の板面のうち下側面と当接させると共に、第３の構成部材の下側面を足場板の板面のうち上側面と当接させることとにより、足場板の長手方向の両側端を複数の第３の構成部材の下側面と複数の第２の構成部材の当接部位の上側面とで挟持した状態となるので、足場板の長手方向の両端がライナープレート構造体設置用足場板固定装置を介してライナープレート構造体に固定されて足場板の落下をより効果的に防止することができる。
【００２６】
また、特に請求項２及び請求項４に記載の発明に係るライナープレート構造体設置用足場板固定装置では、足場板をライナープレート構造体の周壁内の中間部位に架設する場合には、ライナープレート構造体設置用足場板固定装置は、第２の構成部材の複数の当接部位の下側面を足場板の板面のうち上側面と当接させると共に、第１の構成部材の棒状部の位置調整部位の上側面を足場板の板面のうち下側面と当接させる代わりに、第３の構成部材の上側面を足場板の板面のうち下側面と当接させることにより、足場板の長手方向の両側端を複数の第３の構成部材の上側面と複数の第２の構成部材の当接部位の下側面とで挟持した状態となるので、足場板の長手方向の両端がライナープレート構造体設置用足場板固定装置を介してライナープレートに固定されて足場板の落下を防止することが可能となる。
【００２７】
そして、特に請求項２、請求項３、及び請求項４に記載の発明に係るライナープレート構造体設置用足場板固定装置では、第３の構成部材は第２の構成部材に対して当接部位に遠近する方向に移動することができる。このため、ライナープレート構造体設置用足場板固定装置設置後であっても第３の構成部材を動かす操作により第３の構成部材と第２の構成部材の当接部位との間隔を足場板の厚みに合わせて調整することができるので、第３の構成部材と第２の構成部材の当接部位との間隔を足場板の厚みに合わせて簡易且つ円滑に調整することが可能である。
【図面の簡単な説明】
【００２８】
【図１】図１は、この発明に係るライナープレート構造体設置用足場板固定装置が備える各構成部材を示す説明図である。
【図２】図２は、同上のライナープレート構造体設置用足場板固定装置の全体構成を示す説明図であり、図２（ａ）は同上のライナープレート構造体設置用足場板固定装置の平面図、図２（ｂ）は同上のライナープレート構造体設置用足場板固定装置の正面図、図２（ｃ）は同上のライナープレート構造体設置用足場板固定装置の側面図である。
【図３】図３（ａ）は、同上の２つのライナープレート構造体設置用足場板固定装置を用いてライナープレートの上端側に足場板を固定した全体の状態を示した一部断面図であり、図３（ｂ）は、同上のライナープレート構造体設置用足場板固定装置で足場板をライナープレートの上端側に固定した要部の状態を示した一部断面図である。
【図４】図４（ａ）は、同上の２つのライナープレート構造体設置用足場板固定装置を用いてライナープレートの上端側に足場板を固定した全体の状態を示した平面図であり、図４（ｂ）は、同上のライナープレート構造体設置用足場板固定装置で足場板をライナープレートの上端側に固定した要部の状態を示した平面図である。
【図５】図５（ａ）は、同上の２つのライナープレート構造体設置用足場板固定装置を用いてライナープレートの中間部分に足場板を固定した全体の状態を示した一部断面図であり、図５（ｂ）は、同上のライナープレート構造体設置用足場板固定装置で足場板をライナープレートの中間部分に固定した要部の状態を示した一部断面図である。
【図６】図６（ａ）は、同上の２つのライナープレート構造体設置用足場板固定装置を用いてライナープレートの中間部分に足場板を固定した全体の状態を示した平面図であり、図６（ｂ）は、同上のライナープレート構造体設置用足場板固定装置で足場板をライナープレートの中間部分に固定した要部の状態を示した平面図である。
【図７】図７は、図６（ａ）の態様とは異なりライナープレート構造体設置用足場板固定装置を構成する第１の構成部材の位置調整部位が足場板に当該足場板の長手方向に対して斜めに当接した態様の変形例を示した平面図である。
【発明を実施するための形態】
【００２９】
以下、この発明の実施形態の一例を図面に基づいて説明する。
【００３０】
図１及び図２において、本発明の一例としてのライナープレート構造体設置用足場板固定装置１の全体構成及びこのライナープレート構造体設置用足場板固定装置１が備える構成部材として、単体の構成部材２と、２つの構成部材３、３と、２つの構成部材５、５とが示されている。また、図３、図４、図５及び図６において、ライナープレート構造体設置用足場板固定装置１の設置対象となるライナープレート構造体８の一部が示されており、このライナープレート構造体８は、複数のライナープレート８ａを組み付けて構成されて、上端が開口した周壁を有する構造となっている。
【００３１】
構成部材２は、ライナープレート８ａのフランジ１０に固定される２つの固定部１２、１２と、一方端が固定部１２の一方に取り付けられると共に他方端が固定部１２の他方に取り付けられることで両固定部１２、１２同士を連結した単体の棒状部１３と、この棒状部１３の後述する位置調整部位１３ｃに装着される２つの可動部１４、１４とを有して構成されている。
【００３２】
このうち、固定部１２は、厚みの薄い平板状の当接部１２ａとこの当接部１２ａから立設された厚みの薄い立板状の接合部１２ｂとを有して構成されており、当接部１２ａと接合部１２ｂとはこの実施例では略Ｌ字形状を成すかたちで一体成形されている。
【００３３】
当接部１２ａは、図４（ａ）に示されるようなライナープレート構造体８の上端側に位置するライナープレート８ａのフランジ１０の上側面及び図６（ａ）及び図７に示されるようなライナープレート構造体８の中間部分に位置する２つのライナープレート８ａ、８ａの上下に重ねられたフランジ１０、１０のうち上方のフランジ１０の上側面にガタツキなく当接可能な下側面を有している。そして、この当接部１２ａには通孔１８が形成されており、この通孔１８の内径寸法は図３（ｂ）及び図５（ｂ）に示されるライナープレート８ａのフランジ１０に形成されたボルト１５を挿通させるための螺子孔１１の内径寸法と同じであり、ボルト１５を挿通することができる。尚、通孔１８の内周面はボルト１５と螺合するための螺子溝が切られていても良い。また、一方の当接部１２ａの通孔１８と他方の当接部１２ａの通孔１８との間隔は、ライナープレート構造体８を構成した状態のライナープレート８ａの幅方向（ライナープレート構造体８の周壁の内周方向）両側に形成された螺子孔１１、１１間の直線上の間隔と同じになっている。
【００３４】
接合部１２ｂは、当接部１２ａ側とは反対側の面が棒状部１３の後述する端側部位１３ａの軸方向に沿った外周面と接合されている。接合部１２ｂは、この実施例では棒状部１３と例えば溶接等により不動的に接合されているが、通孔１８と螺子孔１１との位置調整や当接部１２ａとフランジ１０との当接を容易化するために、棒状部１３の端側部位１３ａの周方向に沿って揺動可能なように又は棒状部１３の端側部位１３ａの軸方向に沿って移動可能なように棒状部１３の端側部位１３ａと連結されていても良い。
【００３５】
また、棒状部１３は、この実施例では例えば断面が円形状のもので、ライナープレート構造体８に取り付け時においてライナープレート構造体８の開口の略軸方向に沿って延びると共にその端側近傍において固定部１２の接合部１２ｂと接合した２つの端側部位１３ａと、端側部位１３ａに対し接合部１２ｂとは反対側において連接されたもので、ライナープレート構造体８への取り付け時においてライナープレート構造体８の開口の径方向と略平行に延びる２つの張出し部位１３ｂと、張出し部位１３ｂ、１３ｂの端側部位とは反対側部位とそれぞれ連接された単一の位置調整部位１３ｃとを有して構成されている。
【００３６】
位置調整部位１３ｃは、双方の張出し部位１３ｂとの境界部位から所定の範囲において螺子溝が切られていると共に、それぞれ螺子溝が切られた部位に下記する可動部１４が装着されている。そして、位置調整部位１３ｃの長手方向の中間部位であって螺子溝が切られた部位間に位置する部位は、滑り止め用に溝又は突起が形成されていても良い。更に、位置調整部位１３ｃは、上記長手方向の中間部位も含めて全範囲にわたって螺子溝が切られていても良い。
【００３７】
可動部１４は、位置調整部位１３ｃに外装される螺子孔２０を有するもので例えば円筒状、その他の筒状を成す本体部１９と、この本体部１９から螺子孔２０の径方向に沿って外側に延出した取付部２１とから構成されている。取付部２１は、この実施例では厚みの薄い板状をなしていると共に位置調整部位１３ｃの軸方向に沿った幅が本体部１９の螺子孔２０の軸方向に沿った寸法よりも大きくなっている。もっとも、取付部２１の幅が本体部１９の寸法と同じか本体部１９の寸法よりも小さくても良い。更に、取付部２１には、後述する構成部材３の柱状部位２４の外径寸法と略同じ内径寸法の通孔２２が形成されている。通孔２２は構成部材３の柱状部位２４と螺合可能なように内周面に螺子切り溝が形成されていても良い。これにより、可動部１４を位置調整部位１３ｃの周方向に沿って所定方向に回転させることによって、可動部１４は、位置調整部位１３ｃの螺子溝が切られた範囲を当該位置調整部位１３ｃの軸方向に沿って移動すると共に、可動部１４が不用意に位置調整部位１３ｃの軸方向にずれることも回避される。
【００３８】
各構成部材３は、螺子溝が側面に形成された円柱状の柱状部位２４と、この柱状部位２４の長手方向の一方側端から当該柱状部位２４の長手方向と交差する方向に延びる当接部位２５とを有して構成され、この実施例では柱状部位２４と当接部位２５とが直交する方向にて連接された構成となって全体が略Ｌ字形状をなしている。これにより、構成部材３は、可動部１４の取付部２１の通孔２２に柱状部位２４を挿入し、この柱状部位２４の取付部２１からの突出部位にナット６を外装することにより、可動部１４に組み付けられる。そして、柱状部位２４を所定方向に回転させて取付部２１からの突出量を変えることにより、当接部位２５から取付部２１までの寸法もこれに応じて変わることとなる。
【００３９】
各構成部材５は、内周面が螺子切りされた通孔を有する筒状部位２７と、この筒状部位２７の軸方向の一方側と連接して筒状部位２７の径方向に沿って延び、足場板９の板面に対して鉛直方向に当接して当該板面とガタツキなく当接することが可能であると共に筒状部位２７の通孔と連通して貫通孔２８を形成する通孔を有する支持部位２９とを有して構成されている。構成部材５の貫通孔２８の内径寸法は、構成部材３の柱状部位２４の外径寸法と略同じである。尚、この実施例では、筒状部位２７は円筒状をなし、支持部位２９は厚みの薄い板状をなしている。これにより、構成部材５は、構成部材５の柱状部位２４に外装し、柱状部位２４の周方向に回転させて構成部材５の筒状部位２７からの柱状部位２４の突出量を変えることにより、支持部位２９から当接部位２５までの寸法もこれに応じて変わることとなる。
【００４０】
次に、ライナープレート構造体８の上端側に足場板９を架設する場合に、上述してきたライナープレート構造体設置用足場板固定装置１を用いて、足場板９をライナープレート構造体８に固定する構成及び手順の一例について、図３及び図４を用いて説明する。
【００４１】
まず、構成部材２、構成部材３及び構成部材５を予め図２に示されるように組み付けてライナープレート構造体設置用足場板固定装置１を２つ有する状態とする。すなわち、構成部材３の柱状部位２４に構成部材５の貫通孔２８を外装して構成部材３と構成部材５とを組み付けた後、構成部材３の柱状部位２４を構成部材２の可動部１４の取付部２１に形成された通孔２２に挿入し、更に、柱状部位２４のうち可動部１４の通孔２２から突出した部位にナット６を外装して、構成部材２と構成部材３とも組み付ける。
【００４２】
次に、各ライナープレート構造体設置用足場板固定装置１の構成部材２の双方の固定部１２の当接部１２ａについて、接合部１２ｂ側とは反対側の面を、当接部１２ａの通孔１８がライナープレート８ａのフランジ１０に形成された螺子孔１１と連通するように、フランジ１０の上側面に当接させて、ボルト１５を通孔１８と螺子孔１１とに挿通させた後、フランジ１０の下側面から突出したボルト１５の先端部にナット１６を外装して、ライナープレート構造体設置用足場板固定装置１をライナープレート８ａに固定する。
【００４３】
そして、図３（ｂ）に示されるように足場板９の下側面がフランジ１０の上側面に設置可能とするために、各ライナープレート構造体設置用足場板固定装置１の構成部材５の柱状部位２４を所定方向に回転させて当接部位２５の上側面がフランジ１０の上側面と同一となるように調整すると共に、可動部１４の本体部１９を所定方向に回転させて、一方の当接部位２５の端から他方の当接部位２５の端までの空間が足場板９の短手方向寸法よりも小さくなるように調整する。この場合、足場板９と当接部位２５、２５との当接面積が足場板９の板面を下方から安定して支持することができるように調整する。尚、各ライナープレート構造体設置用足場板固定装置１の構成部材５の支持部位２９は、次の動作の効率化を図るために、当接部位２５からの寸法が足場板９の厚みよりも大きくなるような位置に置くことが好ましい。
【００４４】
更に、足場板９の長手方向の両端部位について、ライナープレート８のフランジ１０の上側面とライナープレート構造体設置用足場板固定装置１の構成部材２が有する２つの当接部位２５、２５の上側面との双方の上側に対して板面を載せた後、構成部材５を所定方向に回転させて支持部位２９の当接部位２５側面が足場板９の板面に当接するまで移動させることにより、構成部材５の支持部位２９と構成部材３の当接部位２５とで足場板９を上下方向にて挟持して固定する。尚、双方の構成部材３の柱状部位２４でも足場板９を短手方向両側から挟持することにより足場板９のライナープレート８への固定をより強固なものとしても良い。
【００４５】
これにより、ライナープレート構造体８の上端側に長尺体状（この実施例では厚みの薄い直方体状）の足場板９を架設するにあたって、ライナープレート構造体８が平面視で円状をなしている場合には、足場板９は特に図４（ａ）に示されるようにライナープレート８構造体の周壁の開口の中心Ｐを通る基準線Ｌ１に対し線対称となる箇所の間にわたって且つライナープレート８ａの周方向の中央部位に架設される態様となる。もっとも、ライナープレート構造体８が平面視で小判状、長円状をなす場合には、ライナープレート構造体８の周壁の２箇所の間に架設される態様となる。そして、構成部材２の位置調整部位１３ｃは、図４（ａ）に示されるように、足場板９の長手方向に沿った基準線Ｌ２に対し直交するかたちで配置されることとなる。
【００４６】
尚、ライナープレート構造体８の上端側にライナープレート構造体設置用足場板固定装置１を装着する場合には、図３（ｂ）及び図４（ｂ）に示されるように、構成部材２の棒状部１３の端側部位１３ａにボックス３１を装着し、このボックス３１に手摺り部３２を取り付けるようにしても良い。
【００４７】
また、ライナープレート構造体８の中間部分に足場板９を架設する場合に、上述してきたライナープレート構造体設置用足場板固定装置１を用いて、足場板９をライナープレート構造体８に固定する構成及び手順の一例について、図５及び図６を用いて説明する。尚、構成部材２、構成部材３及び構成部材５を予め図２に示されるように組み付けてライナープレート構造体設置用足場板固定装置１を２つ有した状態とすることは先述したライナープレート構造体８の上端側に足場板９を架設する場合と同様であるので説明を省略する。
【００４８】
組み付けられた各ライナープレート構造体設置用足場板固定装置１の構成部材２の双方の固定部１２の当接部１２ａについて、接合部１２ｂ側の面を、当接部１２ａの通孔１８が２つのライナープレート８ａの双方のフランジ１０の螺子孔１１と連通するように、上側のライナープレート８ａのフランジ１０の上側面に当接させて、ボルト１５を両通孔１８と螺子孔１１とに挿通させた後、下側のライナープレート８ａのフランジ１０の下側面から突出したボルト１５の先端部にナット１６を外装して、ライナープレート構造体設置用足場板固定装置１を双方のライナープレート８ａに固定する。
【００４９】
次に、可動部１４の本体部１９を所定方向に回転させて、一方の構成部材５の支持部位２９の端から他方の構成部材５の支持部位２９の端までの空間が足場板９の短手方向寸法よりも小さくなるように調整する。この場合、足場板９と構成部材５の支持部位２９との当接面積が足場板９を下方から安定して支持することができるように調整する。尚、図５（ｂ）に示されるように、構成部材９の支持部位２９の上側面が足場板９の下側面に接する際に可動部材１４の本体部１９の上側面も足場板９の下側面に接するように本体部１９の外径寸法を採っても良く、これにより足場板９の安定性がより増すこととなる。また、図示しないが、構成部材５を取り外して、可動部１４、１４を移動させ、可動部１４、１４間を足場板９の短手方向寸法よりも大きく採った後、位置調整部位１３ｃの可動部１４、１４間の上側面に足場板９を載せるようにしても良い。
【００５０】
そして、構成部材３の柱状部位２４を回転させて当接部位２５から構成部材５の支持部位２９又は構成部材２の位置調整部位１３ｃの上側面までの寸法については、足場板９の厚みよりも大きく設定しておき、構成部材３の柱状部位２４を先程とは逆方向に回転させて足場板９を構成部材５の支持部位２９側又は構成部材２の位置調整部位１３ｃ側まで移動させることで、構成部材３の当接部位２５と構成部材５の支持部位２９又は構成部材２の位置調整部位１３ｃとで足場板９を上下方向にて挟持して固定する。
【００５１】
これにより、ライナープレート構造体８の中間部分に長尺体状（この実施例でも厚みの薄い直方体状）の足場板９を架設するにあたって、ライナープレート構造体８が平面視で円状をなしている場合には、足場板９は特に図６（ａ）に示されるようにライナープレート構造体８の周壁の開口の中心Ｐとライナープレート８ａの周方向の中央部位とを通る基準線Ｌ１に対し線対称となる部位間において構成部材５の支持部位２９又は構成部材２の位置調整部位１３ｃ上に載置される態様となる。もっとも、ライナープレート構造体８が平面視で小判状、長円状をなす場合には、ライナープレート構造体８の周壁の２箇所の間に架設される態様となる。そして、構成部材２の位置調整部位１３ｃは、図６（ａ）に示されるように、足場板９の長手方向に沿った基準線Ｌ２に対し直交するように配置されて、足場板９を下方から支持することとなる。
【００５２】
これまで、ライナープレート構造体設置用足場板固定装置１は位置調整部位１３ｃが足場板９の長手方向と直交するようにライナープレート構造体８に設置されるとして説明したが必ずしもこれに限定されない。図７の足場板９をライナープレート構造体８の中間部分に架設する構成で示されるように、ライナープレート構造体８の周壁の開口の中心Ｐから偏った場所にライナープレート構造体設置用足場板固定装置１が設置される場合には、足場板９は位置調整部位１３ｃに対し当該足場板９の長手方向に対し斜めに交差するかたちで載置されるようにすることもできる。これは、足場板９をライナープレート構造体８の上端側に設置する場合やライナープレート構造体８が平面視で小判状、長円状等の円状以外の開口形状をなす場合でも同様である。
【００５３】
また、このライナープレート構造体設置用足場板固定装置１では、足場板９を不要とする場合には、足場板９はライナープレート構造体８のみならずライナープレート構造体設置用足場板固定装置１の各構成部材２、３、５のいずれとも連結されていないので、工具を用いずに速やかに足場板９を取り外すことができる。しかも、足場板９を取り外した後のライナープレート構造体設置用足場板固定装置１の位置調整部位１３ｃは、作業員がライナープレート８を昇降するためのタラップの把手及び／又は足置きに利用することができる。
【符号の説明】
【００５４】
１  ライナープレート構造体設置用足場板固定装置
２  構成部材（第１の構成部材）
３  構成部材（第２の構成部材）
５  構成部材（第３の構成部材）
８  ライナープレート構造体
８ａ  ライナープレート
９  足場板
１０  フランジ
１１  螺子孔
１２  固定部
１３  棒状部
１３ｃ  位置調整部位
１４  可動部
１９  本体部
２１  取付部
２２  通孔
２４  柱状部位
２５  当接部位
２７  筒状部位
【図１】
2011168969.tif 000003
【図２】
2011168969.tif 000004
【図３】
2011168969.tif 000005
【図４】
2011168969.tif 000006
【図５】
2011168969.tif 000007
【図６】
2011168969.tif 000008
【図７】
2011168969.tif 000009